(57)【特許請求の範囲】
【請求項１】
地中埋設物とともに埋設されたＲＦＩＤタグと、ＲＦＩＤタグの情報を送受信する送受信器と、情報の表示及び編集可能な情報処理装置とを使用する埋設物位置情報編集管理方法において、
前記情報処理装置は、前記ＲＦＩＤタグごとに付けられた個別の番号であるシリアル番号、埋設工事を行う事業者ごとに付けられた番号である事業者ＩＤという情報を内容として含むシステム項目を入出力可能なシステム項目入出力手段と、管理者が決定することができる設備番号、標高、深度、緯度、経度という位置情報を内容として含む共通項目を入出力可能な共通項目入出力手段と、埋設された配管の管種、口径、敷設年度という情報を内容として含む選択項目を入出力可能な選択項目入出力手段と、コメント、文章という情報を内容として含む公開項目を入出力可能な公開項目入出力手段とを有し、
前記送受信器によって前記ＲＦＩＤタグに格納された情報を読み取り、前記システム項目に含まれる情報である事業者ＩＤとＲＦＩＤタグに格納された事業者ＩＤとが同一であった場合に、前記システム項目、前記共通項目及び前記選択項目の情報が読み取り又は書き込み可能となる、現場にて情報編集可能な地中埋設物の位置情報編集管理方法。
【請求項２】
地中埋設物とともに埋設されたＲＦＩＤタグの情報を送受信器によって非接触で送受信し、情報処理装置によって情報の表示及び編集を可能とするプログラムを記録したコンピュータ読み取り可能な記録媒体において、
システム項目入出力手段によって、前記ＲＦＩＤタグごとに付けられた個別の番号であるシリアル番号、埋設工事を行う事業者ごとに付けられた番号である事業者ＩＤという情報を内容として含むシステム項目を入出力可能とし、共通項目入出力手段によって、管理者が決定することができる設備番号、標高、深度、緯度、経度という位置情報を内容として含む共通項目を入出力可能とし、選択項目入出力手段によって、埋設された配管の管種、口径、敷設年度という情報を内容として含む選択項目を入出力可能とし、公開項目入出力手段によって、コメント、文章という情報を内容として含む公開項目を入出力可能とし、
前記送受信器によって前記ＲＦＩＤタグに格納された情報を読み取り、前記システム項目に含まれる情報である事業者ＩＤとＲＦＩＤタグに格納された事業者ＩＤとが同一であった場合に、前記システム項目、前記共通項目及び前記選択項目の情報が読み取り又は書き込み可能となることを特徴とするプログラムを記録したコンピュータ読み取り可能な記録媒体。
【発明の詳細な説明】
【０００１】
【発明の属する技術分野】
本発明は、地中に埋設された水道管、下水管、ガス管などとともに地上から検出するために埋設されたＲＦＩＤタグの情報を現場にて編集管理する方法及びそのためのプログラムを記録した記録媒体に関するものである。
【０００２】
【従来の技術】
水道管、下水管、ガス管などのライフラインの埋設工事を行う場合、その埋設位置や施設情報は、図面やコンピュータにより情報管理が行われている。コンピュータによる管理方法としては、本願発明者らによる特開２００１−９９９４６に開示されている発明、つまり埋設する水道管等とともにＲＦＩＤ(Radio Frequency-IDentification: 電波方式認識)タグを付設して埋設し、ノートパソコン等のコンピュータに必要なＲＦＩＤタグの位置、深度情報などを記録させておき、後日、その記録をもとにＲＦＩＤタグの埋設位置を探索し、確認する方法が採られていた。
【０００３】
【発明が解決しようとする課題】
近年ではケーブル管、光ファイバー管等も地中に埋設されるようになっているため地中内の埋設状況は複雑となり、それぞれの配管の維持管理も難しくなっている。工事現場付近に配管が多数埋設されていた場合は、その付近の埋設状況を知るためのデータや図面を収集しなくてはならず、また、図面やデータの位置が誤っていたときには現場作業を中断することとなり、最悪の場合は事故に繋がる恐れもあった。そのため、これら配管の維持管理業務のための効率化、システム化の要望が高まっており、なかでも現場において埋設物が何であるかを識別する方法に対する要望が多くなっていた。
本発明では、これらの課題を解決するためになされたものであり、ＲＦＩＤタグを利用して地中の埋設状況を現場にて把握でき、ＲＦＩＤタグ内の情報を現場で編集できる方法及びそのためのプログラムを記録したコンピュータ読み取り可能な記録媒体を提供するものである。
【０００４】
【課題を解決するための手段】
本発明は、地中埋設物とともに埋設されたＲＦＩＤタグと、ＲＦＩＤタグの情報を送受信する送受信器と、情報の表示及び編集可能な情報処理装置とを使用する埋設物位置確認方法において、
前記情報処理装置は、前記ＲＦＩＤタグごとに付けられた個別の番号であるシリアル番号、埋設工事を行う事業者ごとに付けられた番号である事業者ＩＤという情報を内容として含むシステム項目を入出力可能なシステム項目入出力手段と、管理者が決定することができる設備番号、標高、深度、緯度、経度という位置情報を内容として含む共通項目を入出力可能な共通項目入出力手段と、埋設された配管の管種、口径、敷設年度という情報を内容として含む選択項目を入出力可能な選択項目入出力手段と、コメント、文章という情報を内容として含む公開項目を入出力可能な公開項目入出力手段とを有し、
前記送受信器によって前記ＲＦＩＤタグに格納された情報を読み取り、前記システム項目に含まれる情報である事業者ＩＤとＲＦＩＤタグに格納された事業者ＩＤとが同一であった場合に、前記システム項目、前記共通項目及び前記選択項目の情報が読み取り又は書き込み可能となる、現場にて情報収集可能な地中埋設物の位置情報編集管理方法とした。
【０００５】
地上から、送受信器を用いてＲＦＩＤタグと交信することにより、システム項目、共通項目、選択項目、公開項目のデータを現場にて取得できるようにし、図面やデータ等を収集する必要をなくし、現場での地中の埋設状況を把握しやすくした。また、ＲＦＩＤタグの情報には、埋設工事を行う事業者にそれぞれ割り振られた固有の事業者ＩＤが書き込まれており、情報処理装置に記録された事業者ＩＤと合致したときのみ、ＲＦＩＤタグのシステム項目、共通項目、選択項目の情報が、読み取り又は書き込みすることができるものとしてあり、ＲＦＩＤタグの情報を安全に管理することができる。
【０００６】
また、上記作業を行うにあたり、地中埋設物とともに埋設されたＲＦＩＤタグの情報を送受信器によって非接触で送受信し、情報処理装置によって情報の表示及び編集を可能とするプログラムを記録したコンピュータ読み取り可能な記録媒体を用いて、
システム項目入出力手段によって、前記ＲＦＩＤタグごとに付けられた個別の番号であるシリアル番号、埋設工事を行う事業者ごとに付けられた番号である事業者ＩＤという情報を内容として含むシステム項目を入出力可能とし、共通項目入出力手段によって、管理者が決定することができる設備番号、標高、深度、緯度、経度という位置情報を内容として含む共通項目を入出力可能とし、選択項目入出力手段によって、埋設された配管の管種、口径、敷設年度という情報を内容として含む選択項目を入出力可能とし、公開項目入出力手段によって、コメント、文章という情報を内容として含む公開項目を入出力可能とし、
前記送受信器によって前記ＲＦＩＤタグに格納された情報を読み取り、前記システム項目に含まれる情報である事業者ＩＤとＲＦＩＤタグに格納された事業者ＩＤとが同一であった場合に、前記システム項目、前記共通項目及び前記選択項目の情報が読み取り又は書き込み可能となるよう、コンピュータに実行させることを特徴とする。
【０００７】
【発明の実施の形態】
以下、本発明の好適な実施例を図面を用いて説明する。
図1には、地中埋設物の位置情報編集管理方法の一実施例の概略図、図２には、ＲＦＩＤタグの情報表示画面を示した図、図３には、ＲＦＩＤタグのセキュリティ機能を説明する概略図を示してある。
【０００８】
図1に示すように、埋設位置検出装置１は、配管２に付設されて埋設されたＲＦＩＤタグ３と、地上を移動できる台車４と、台車４上に搭載された送受信器５と情報処理装置６とＧＰＳ(Global Positioning System)装置７からなる。
ＲＦＩＤタグ３が付設してある配管２としては、水道管、下水管、ガス管、ケーブル管、光ファイバー管などであるが、地中に埋設し後日、修理、検査等のために埋設位置の確認が必要なものにも適用することができる。また、各種バルブ、消火栓等の付帯設備、構造物、施設に付設することもできる。
【０００９】
ＲＦＩＤタグ３は、配管２に付設して埋設するものであり、この配管２の新設、補修、交換時に必要な情報を記録することができるものである。後日、情報が必要になったときに送受信器５にて探査して、ＲＦＩＤタグ３より読み込んだ情報を情報処理装置６に表示することができる。
台車４は、図１では簡略に示してあるが送受信器５、情報処理装置６、ＧＰＳ装置７を搭載でき、移動できるものであればよい。
【００１０】
送受信器5は、アンテナ８と本体９からなりアンテナ８にて地中に埋設されたＲＦＩＤタグ３に向けて信号電波を発信し、情報の交信を行う。本体９はアンテナ８と情報処理装置６とに接続されており、ＲＦＩＤタグ３から送信されてきた情報又はＲＦＩＤタグ３へ送信する情報を変換し、ＲＦＩＤタグ３と情報処理装置６との交信ができるようにしている。
【００１１】
情報処理装置６は、ＲＦＩＤタグ３の情報を表示、編集するものであり、ノートパソコンやワークステーションなどの情報処理端末で構わない。
また、ＧＰＳ装置７は、衛星からの信号を読み取り、台車４の位置の経度、緯度を測定し、この情報を位置情報としてＲＦＩＤタグ３や情報処理装置６に記録させておく。
【００１２】
上記構成の埋設位置検出装置１において、本発明では、情報処理装置６にＲＦＩＤタグ３の情報を表示、編集するにあたり編集画面１０をとおして、システム項目１１入出力手段と、共通項目１２入出力手段と、選択項目１３入出力手段と、公開項目１４入出力手段とを有し、システム項目１１の事業者ＩＤとＲＦＩＤタグ３の事業者ＩＤとが同一である場合にはシステム項目１１と、共通項目１２と、選択項目１３との情報が読込み若しくは書き込み可能となるプログラムを記録媒体よりインストールしておく。この記録媒体は、磁気テープやカセットテープ、フロッピディスクやハードディスク、ＣＤ−ＲＯＭ、ＭＯやＤＶＤなどの固定的にプログラムを担持する媒体である。
【００１３】
上記プログラムを用いて行う情報の表示、編集方法を以下に示す。
送受信器５より信号電波を発信させながら、台車４を移動させる。ＲＦＩＤタグ３を感知すると、台車４に搭載されている情報処理装置６にＲＦＩＤタグ３を感知したことが表示される。台車４をその場に停車させ、感知したＲＥＩＤタグ３の情報を読み込ませる操作をすると、図２に示すように編集画面１０にシステム項目１１、共通項目１２、選択項目１３、公開項目１４の情報が表示される。
【００１４】
それぞれの項目の概要は以下のとおりである。
システム項目１１は、シリアル番号、事業者ＩＤ、登録日、更新日からなる。シリアル番号は、ＲＦＩＤタグ３ごとに付けられた個別の番号であり、同一番号のＲＦＩＤタグ３は存在しない。事業者ＩＤは、埋設工事を行う事業者ごとに付けられた番号であり、ＲＦＩＤタグ３納入時に決定される。登録日は、ＲＦＩＤタグ３に、初めてデータを登録した日が自動的に設定される。更新日は、データを更新した日付が自動的に設定されるものとなっている。
システム項目１１は、情報処理装置６にて読込み編集画面１０に表示することはできるが、書き込みすることはできない項目となっている。
【００１５】
共通項目１２は、設備番号、標高、深度、緯度、経度からなる。設備番号は、管理している人が決定することができる番号であり、管理番号等を入力することができる。標高、深度はそれぞれＲＦＩＤタグ３のある標高、深度を入力することができる。緯度、経度は、それぞれＲＦＩＤタグ３の緯度、経度を入力することができ、このときＧＰＳ装置７から得た位置情報を入力することができ、より正確な位置を確定することができる。
【００１６】
選択項目１３は、各情報を入力することができ、例えば、埋設している水道管の管種、口径、敷設年度、また備考などを入力することができる。
公開項目１４は、コメント、文章を自由に入力することができる。
【００１７】
ＲＦＩＤタグ３にはセキュリティ機能があり、図３に示すように埋設位置検出装置１により送受信できる情報が限定されており、シリアル項目１１、共通項目１２、選択項目１３の情報は、シリアル項目１１の事業者ＩＤと情報処理装置６の事業者ＩＤが一致したときのみ編集画面１０に表示される。そのため、シリアル項目１１、共通項目１２、選択項目１３の情報は、埋設した事業者のみ読み取ることができる。さらに、シリアル項目１１には、書き込むことができないが、共通項目１２、選択項目１３には、埋設した事業者のみ書き込みできる。よって、情報が他人により変更されることなく安全に管理できる。
【００１８】
また、公開項目１４は、他の事業所の埋設位置検出装置１でも読込みできるので、この項目には、他の事業所が、配管２を埋設してある場所で工事を行う場合にお知らせしたいことを書き込んでおけば、誤って配管２を破損させたり、事故を起こしたりすることもなくなる。
【００１９】
ＲＦＩＤタグ３の情報を編集するのは、埋設位置検出装置１からだけでなく、事務所内等にあるコンピュータ等からも、編集することができ、配管２を新設する前にそれぞれの項目に必要な情報を書き込んでおけば現場での作業時間の短縮を図ることができる。
【００２０】
このように、配管２等とともにＲＦＩＤタグ３を付設して埋設することにより、現場にてその情報が必要となったとき埋設位置検出装置を用いて必要となった情報を読み込みでき、現場で即時にかつ正確に知ることが可能である。また、情報を現場で書き込みすることができるため、情報の記録忘れの防止が図られ、情報管理もしやすくなるものである。
さらに、現場における情報と事務所における管理情報との整合性を図ることができ、地中埋設物の管理情報を一元管理することが可能となる。
【図面の簡単な説明】
【図１】地中埋設物の位置情報編集管理方法の一実施例の概略図。
【図２】ＲＦＩＤタグの情報表示画面を示した図
【図３】ＲＦＩＤタグのセキュリティ機能を説明する概略図
【符号の説明】
１  埋設位置検出装置
２  配管
３  ＲＦＩＤタグ
４  台車
５  送受信器
６  情報処理端末
７  ＧＰＳ装置
８  アンテナ
９  本体
１０  編集画面
１１  システム項目
１２  共通項目
１３  選択項目
１４  公開項目
【図１】
0004523740.tif 000002
【図２】
0004523740.tif 000003
【図３】
0004523740.tif 000004